(57)【特許請求の範囲】
【請求項１】
次の構成要件（Ａ01）〜（Ａ04）を備えたことを特徴とする画像形成装置、
（Ａ01）回転可能な像担持体を有するカートリッジが着脱可能に装着されるカートリッジ装着用空間を有する画像形成装置本体、
（Ａ02）前記カートリッジ装着用空間にカートリッジが装着されたときに前記像担持体が圧接する位置に支持され且つその圧接領域により形成される転写領域を通過する記録シートに前記像担持体表面のトナー像を転写する転写ロール、
（Ａ03）前記転写ロールの両端部を着脱可能且つ回転可能に保持する転写ロール装着部を有する転写ロール装着部材であって、前記転写ロール装着部が、前記カートリッジ装着用空間に装着されたカートリッジの像担持体に前記転写ロールが圧接する転写動作位置と、前記カートリッジが装着されていないカートリッジ装着用空間に前記転写ロール軸が移動した着脱作業位置であって前記転写ロールを前記転写ロール装着部に着脱する前記着脱作業位置との間で移動可能に構成された前記転写ロール装着部材、
（Ａ04）前記記録シート搬送方向における転写領域の上流側に配置された転写前シートガイドであって、前記転写前シートガイドの下流端と転写領域下流側に配置された除電針との間隔が転写ロールの直径よりも小さくなる位置に配置され且つ前記転写ロール装着部材と同時に前記カートリッジ装着空間に移動可能に構成された前記転写前シートガイド。
【請求項２】
次の構成要件（Ａ01），（Ａ02），（Ａ02a），（Ａ03′），（Ａ04）を備えたことを特徴とする画像形成装置、
（Ａ01）回転可能な像担持体を有するカートリッジが着脱可能に装着されるカートリッジ装着用空間を有する画像形成装置本体、
（Ａ02）前記カートリッジ装着用空間にカートリッジが装着されたときに前記像担持体が圧接する位置に支持され且つその圧接領域により形成される転写領域を通過する記録シートに前記像担持体表面のトナー像を転写する転写ロール、
（Ａ02a）前記カートリッジ装着用空間からカートリッジが取り出されたときに前記転写ロールを係止して移動を規制する抜け止め防止部材、
（Ａ03′）前記転写ロールの両端部を着脱可能且つ回転可能に保持する転写ロール装着部を有する転写ロール装着部材であって、前記転写ロール装着部が、前記カートリッジ装着
用空間に装着されたカートリッジの像担持体に前記転写ロールが圧接する転写動作位置と、前記カートリッジが装着されていないカートリッジ装着用空間に前記抜け止め防止部材の規制に反して前記転写ロールが移動した着脱作業位置との間で移動可能に構成された前記転写ロール装着部材、
（Ａ04）前記記録シート搬送方向における転写領域の上流側に配置された転写前シートガイドであって、前記転写前シートガイドの下流端と転写領域下流側に配置された除電針との間隔が転写ロールの直径よりも小さくなる位置に配置され且つ前記転写ロール装着部材と同時に前記カートリッジ装着空間に移動可能に構成された前記転写前シートガイド。
【請求項３】
次の構成要件（Ａ01），（Ａ02），（Ａ03″），（Ａ04）を備えたことを特徴とする画像形成装置、
（Ａ01）回転可能な像担持体を有するカートリッジが着脱可能に装着されるカートリッジ装着用空間を有する画像形成装置本体、
（Ａ02）前記カートリッジ装着用空間にカートリッジが装着されたときに前記像担持体が圧接する位置に支持され且つその圧接領域により形成される転写領域を通過する記録シートに前記像担持体表面のトナー像を転写する転写ロール、
（Ａ03″）前記転写ロールの両端部を着脱可能且つ回転可能に保持する転写ロール装着部を有する転写ロール装着部材であって、前記転写ロール装着部が、前記カートリッジ装着用空間に装着されたカートリッジの像担持体に前記転写ロールが圧接する転写動作位置と、前記カートリッジが装着されていないカートリッジ装着用空間に前記転写ロールが移動した着脱作業位置であって前記転写ロールを前記転写ロール装着部に着脱する前記着脱作業位置との間で移動可能に構成され且つ前記着脱作業位置では前記転写ロール装着部を前記カートリッジ装着用空間に移動させる前記転写ロール装着部材、
（Ａ04）前記記録シート搬送方向における転写領域の上流側に配置された転写前シートガイドであって、前記転写前シートガイドの下流端と転写領域下流側に配置された除電針との間隔が転写ロールの直径よりも小さくなる位置に配置され且つ前記転写ロール装着部材と同時に前記カートリッジ装着空間に移動可能に構成された前記転写前シートガイド。
【請求項４】
次の構成要件（Ａ05），（Ａ06）を備えたことを特徴とする請求項１ないし３のいずれか記載の画像形成装置、
（Ａ05）前記画像形成装置本体の固定フレームに設けられ、前記転写領域の記録シート搬送方向下流側または上流側に配置されたロール装着部材支持軸回りに回動可能に支持された前記転写ロール装着部材、
（Ａ06）前記ロール装着部材支持軸にレバー中央部が回動可能に支持された一対の回動レバーと、前記一対の回動レバーの前記転写領域側の自由端部どうしを連結する連結部材と、前記連結部材の両端部または一対の回動レバーにそれぞれ設けられたＵ字状溝により形成された転写ロール装着部と、前記一対の回動レバーの前記転写領域と反対側の自由端部に設けられたレバー操作部とを有する前記転写ロール装着部材。
【請求項５】
次の構成要件（Ａ09）を備えたことを特徴とする請求項１ないし４のいずれか記載の画像形成装置、
（Ａ09）前記着脱作業位置では斜め上方に開口する前記Ｕ字状の転写ロール軸装着溝を有し、前記転写ロールの着脱方向が前記斜め上方に設定された前記転写ロール装着部材。
【請求項６】
次の構成要件（Ａ011），（Ａ012）を備えたことを特徴とする請求項１記載の画像形成装置、
（Ａ011）前記転写領域の記録シート搬送方向上流側に配置されてロール装着部材支持軸に遊びを持って回転可能に支持された前記転写ロール装着部材、
（Ａ012）前記転写ロール装着部材が前記転写動作位置に回動するときに前記転写ロール装着部材に装着された転写ロールの転写ロール軸をガイドするためのガイド溝。
【請求項７】
次の構成要件（Ａ015）を備えたことを特徴とする請求項６記載の画像形成装置、
（Ａ015）前記転写ロール軸が着脱可能に装着され且つ前記ガイド溝に沿って移動可能なロール軸保持用のスライダ。
【請求項８】
次の構成要件（Ａ016）を備えたことを特徴とする請求項７記載の画像形成装置、
（Ａ016）前記転写動作位置に移動した前記転写ロール装着部材を常時上方に付勢するように前記ロール軸保持用のスライダに作用する弾性部材。
【発明の詳細な説明】
【０００１】
【発明の属する技術分野】
本発明は複写機やＦＡＸ（ファクシミリ装置）、プリンタ等の電子写真方式を使用した画像形成装置に関し、特に、像担持体を有するカートリッジが装着されるカーリッジ装着用空間を有する画像形成装置本体と、画像形成装置本体から前記カートリッジ装着用空間に着脱可能に装着されるカートリッジと、前記カートリッジ装着用空間にカートリッジが装着されたときにカートリッジの像担持体により圧接される位置に支持された転写ロールと、を備えた画像形成装置に関する。
【０００２】
【従来の技術】
前記種類の画像形成装置では、転写ロールの交換を行う場合、前記像担持体を有するカートリッジを画像形成装置本体から取出し、空になったカートリッジ装着用空間を利用して転写ロールの転写ロールの交換作業を行っていた。
【０００３】
この種の画像形成装置として、次の従来技術（Ｊ01）が知られている。
（Ｊ01）特開平１１−２４４５３号公報記載の技術
この公報には、転写ロールの交換を行う際、転写ロールを含むユニットを一旦取り外し、その後、ピン等の治具により転写ロールを押し出して取り外している。
【０００４】
【発明が解決しようとする課題】
（前記（Ｊ01）の技術の問題点）
前記従来技術では、転写ロールを画像形成装置本体から取り外す場合、画像形成装置本体から一旦転写ロールユニットを取り外し、次に転写ロールユニットから転写ロールを取り外す作業必要であり、また、装着する際にはその逆の作業を行う必要がある。この従来技術は、作業数が多くなり、さらに着脱には治具が必要なので、転写ロールの交換を容易に行うことができなかった。
【０００５】
なお、画像形成装置本体から転写ロールユニットを取り外すのではなく、転写ロール単体を取り外することも考えられるが、次の問題点がある。
転写ロールの記録シート搬送方向上流側には転写ロール上面に接近して転写前シートガイドが配置されており、下流側には転写ロール上面に接近する位置に除電針が配置されることが多い。
前記転写前シートガイドおよび除電針が転写ロール上面に接近した位置に配置される理由は、それらの位置関係は画質に影響を与えるので、高画質の画像を得るためには前記接近した位置に配置する必要があるからである。
【０００６】
前記転写前シートガイドおよび除電針が転写ロール上面に接近して配置されると、それらの間隔が狭くなり、その間隔が転写ロールの直径縒りも短くなってしまう。この場合、前記間隔を通って、転写ロールをカートリッジ装着用空間に取り出すことができなくなる。
したがって、従来は前記転写前シートガイドおよび除電針の間隔を、転写ロールの直径よりも大きく形成する必要があった。この場合、前記転写ロール、転写前シートガイドおよび除電針は、高画質を得るための理想的な位置関係に配置することができなくなる。
【０００７】
本発明は、前記問題点に鑑み、カートリッジ装着用空間を有する画像形成装置本体と、画像形成装置本体の外部から前記カートリッジ装着用空間に着脱可能に装着される像担持体を有するカートリッジと、前記カートリッジ装着用空間にカートリッジが装着されたときにカートリッジの像担持体表面が圧接する位置に支持された転写ロールと、を備えた画像形成装置において、次の記載内容（Ｏ01）（Ｏ02）を技術的課題とする。
（Ｏ01）転写ロールの着脱作業を容易にすること。
（Ｏ02）画像形成時の転写ロール、前記転写ロールの上流側に配置された転写前シートガイド、および除電針を適切な位置関係に配置可能にすること。
【０００８】
【課題を解決するための手段】
次に、前記課題を解決した本発明を説明するが、本発明の説明において本発明の構成要素の後に付記したカッコ内の符号は、本発明の構成要素に対応する後述の実施例の構成要素の符号である。なお、本発明を後述の実施例の構成要素の符号と対応させて説明する理由は、本発明の理解を容易にするためであり、本発明の範囲を実施例に限定するためではない。
【０００９】
（第１発明）
前記課題を解決するために、第１発明の画像形成装置は、次の構成要件（Ａ01）〜（Ａ04）を備えたことを特徴とする、
（Ａ01）回転可能な像担持体（ＰＲ）を有するカートリッジ（Ｕ２）が着脱可能に装着されるカートリッジ装着用空間（Ｖ）を有する画像形成装置本体（Ｕ１）、
（Ａ02）前記カートリッジ装着用空間（Ｖ）にカートリッジ（Ｕ２）が装着されたときに前記像担持体（ＰＲ）が圧接する位置に支持され且つその圧接領域により形成される転写領域を通過する記録シートに前記像担持体（ＰＲ）表面のトナー像を転写する転写ロール（Ｔａ）、
（Ａ03）前記転写ロール（Ｔａ）の両端部を着脱可能且つ回転可能に保持する転写ロール装着部（４９）を有する転写ロール装着部材（Ｔ２）であって、前記転写ロール装着部（４９）が、前記カートリッジ装着用空間（Ｖ）に装着されたカートリッジ（Ｕ２）の像担持体（ＰＲ）に前記転写ロール（Ｔａ）が圧接する転写動作位置と、前記カートリッジ（Ｕ２）が装着されていないカートリッジ装着用空間（Ｖ）に前記転写ロール軸（４１）が移動した着脱作業位置であって前記転写ロール（Ｔａ）を前記転写ロール装着部（４９）に着脱する前記着脱作業位置との間で移動可能に構成された前記転写ロール装着部材（Ｔ２）、
（Ａ04）前記記録シート搬送方向における転写領域（Ｑｔ）の上流側に配置された転写前シートガイド（ＳＧ１）であって、前記転写前シートガイド（ＳＧ１）の下流端と転写領域（Ｑｔ）下流側に配置された除電針（ＤＴＣ）との間隔が転写ロール（Ｔａ）の直径よりも小さくなる位置に配置され且つ前記転写ロール装着部材（Ｔ２）と同時に前記カートリッジ装着用空間（Ｖ）に移動可能に構成された前記転写前シートガイド（ＳＧ１）。
（第２発明）
第２発明の画像形成装置は、次の構成要件（Ａ01），（Ａ02），（Ａ02a），（Ａ03′）を備えたことを特徴とする。
（Ａ01）回転可能な像担持体（ＰＲ）を有するカートリッジ（Ｕ２）が着脱可能に装着されるカートリッジ装着用空間（Ｖ）を有する画像形成装置本体（Ｕ１）、
（Ａ02）前記カートリッジ装着用空間（Ｖ）にカートリッジ（Ｕ２）が装着されたときに前記像担持体（ＰＲ）が圧接する位置に支持され且つその圧接領域により形成される転写領域を通過する記録シートに前記像担持体（ＰＲ）表面のトナー像を転写する転写ロール（Ｔａ）、
（Ａ02a）前記カートリッジ装着用空間からカートリッジ（Ｕ２）が取り出されたときに前記転写ロール（Ｔａ）を係止して移動を規制する抜け止め防止部材（３６ａ，３６ａ）、
（Ａ03′）前記転写ロール（Ｔａ）の両端部を着脱可能且つ回転可能に保持する転写ロール装着部（４９）を有する転写ロール装着部材（Ｔ２）であって、前記転写ロール装着部（４９）が、前記カートリッジ装着用空間（Ｖ）に装着されたカートリッジ（Ｕ２）の像担持体（ＰＲ）に前記転写ロール（Ｔａ）が圧接する転写動作位置と、前記カートリッジ（Ｕ２）が装着されていないカートリッジ装着用空間（Ｖ）に前記抜け止め防止部材（３６ａ，３６ａ）の規制に反して前記転写ロール（Ｔａ）が移動した着脱作業位置との間で移動可能に構成された前記転写ロール装着部材（Ｔ２）、
（Ａ04）前記記録シート搬送方向における転写領域（Ｑｔ）の上流側に配置された転写前シートガイド（ＳＧ１）であって、前記転写前シートガイド（ＳＧ１）の下流端と転写領域（Ｑｔ）下流側に配置された除電針（ＤＴＣ）との間隔が転写ロール（Ｔａ）の直径よりも小さくなる位置に配置され且つ前記転写ロール装着部材（Ｔ２）と同時に前記カートリッジ装着用空間（Ｖ）に移動可能に構成された前記転写前シートガイド（ＳＧ１）。
（第３発明）
第３発明の画像形成装置は、次の構成要件（Ａ01），（Ａ02），（Ａ03″），（Ａ04）を備えたことを特徴とする。
（Ａ01）回転可能な像担持体（ＰＲ）を有するカートリッジ（Ｕ２）が着脱可能に装着されるカートリッジ装着用空間（Ｖ）を有する画像形成装置本体（Ｕ１）、
（Ａ02）前記カートリッジ装着用空間（Ｖ）にカートリッジ（Ｕ２）が装着されたときに前記像担持体（ＰＲ）が圧接する位置に支持され且つその圧接領域により形成される転写領域を通過する記録シートに前記像担持体（ＰＲ）表面のトナー像を転写する転写ロール（Ｔａ）、
（Ａ03″）前記転写ロール（Ｔａ）の両端部を着脱可能且つ回転可能に保持する転写ロール装着部（４９）を有する転写ロール装着部材（Ｔ２）であって、前記転写ロール装着部（４９）が、前記カートリッジ装着用空間（Ｖ）に装着されたカートリッジ（Ｕ２）の像担持体（ＰＲ）に前記転写ロール（Ｔａ）が圧接する転写動作位置と、前記カートリッジ（Ｕ２）が装着されていないカートリッジ装着用空間（Ｖ）に前記転写ロール（Ｔａ）が移動した着脱作業位置であって前記転写ロール（Ｔａ）を前記転写ロール装着部（４９）に着脱する前記着脱作業位置との間で移動可能に構成され且つ前記着脱作業位置では前記転写ロール装着部（４９）を前記カートリッジ装着用空間に移動させる前記転写ロール装着部材（Ｔ２）。
（Ａ04）前記記録シート搬送方向における転写領域（Ｑｔ）の上流側に配置された転写前シートガイド（ＳＧ１）であって、前記転写前シートガイド（ＳＧ１）の下流端と転写領域（Ｑｔ）下流側に配置された除電針（ＤＴＣ）との間隔が転写ロール（Ｔａ）の直径よりも小さくなる位置に配置され且つ前記転写ロール装着部材（Ｔ２）と同時に前記カートリッジ装着用空間（Ｖ）に移動可能に構成された前記転写前シートガイド（ＳＧ１）。
【００１０】
（第１発明の作用）
前記構成を備えた第１発明の画像形成装置では、回転可能な像担持体（ＰＲ）を有するカートリッジ（Ｕ２）は、画像形成装置本体（Ｕ１）のカートリッジ装着用空間（Ｖ）に着脱可能に装着される。転写ロール（Ｔａ）は、前記カートリッジ装着用空間（Ｖ）にカートリッジ（Ｕ２）が装着されたときに前記像担持体（ＰＲ）が圧接する位置に支持され、その圧接領域により形成される転写領域（Ｑｔ）を通過する記録シートに前記像担持体（ＰＲ）表面のトナー像を転写する。
転写ロール装着部材（Ｔ２）の転写ロール装着部（４９）は前記転写ロール（Ｔａ）の両端部を着脱可能且つ回転可能に保持する。転写ロール装着部材（Ｔ２）は、転写ロール（Ｔａ）の軸（４１）が転写動作位置と着脱作業位置との間で移動可能に構成されており、転写動作位置では、前記カートリッジ装着用空間（Ｖ）に装着されたカートリッジ（Ｕ２）の像担持体（ＰＲ）に前記転写ロール（Ｔａ）が圧接し、着脱作業位置では前記カートリッジ（Ｕ２）が装着されていないカートリッジ装着用空間（Ｖ）内に転写ロール（Ｔａ）の軸（４１）が移動している。前記着脱作業位置は、広いので、前記転写ロール装着部（４９）に対する転写ロール（Ｔａ）の着脱作業を容易に行うことができる。
また、転写ロール装着部材（Ｔ２）に装着された転写ロール（Ｔａ）を転写動作位置と着脱作業位置との間で移動させる際、転写前シートガイド（ＳＧ１）も一緒に移動する。このため、前記転写前シートガイド（ＳＧ１）と除電針（ＤＴＣ）との間隔が、転写ロール（Ｔａ）の直径よりも狭くても、転写ロールＴａを転写前シートガイド（ＳＧ１）と一緒に、転写動作位置と着脱作業位置との間で移動させることが可能となる。
このため、転写ロール（Ｔａ）に対する転写前シートガイド（ＳＧ１）および除電針（ＤＴＣ）の位置を適切な値に設定することができる。
（第２発明の作用）
前記構成要件（Ａ03a）を備えた第２発明の画像形成装置では、抜け止め防止部材（３６ａ，３６ａ）は、カートリッジ装着用空間からカートリッジが取り出されたときに転写ロール（Ｔａ）を係止して移動を規制する。この抜け止め防止部材（３６ａ，３６ａ）は、前記転写ロール（Ｔａ）が転写動作位置にある状態から前記着脱作業位置に移動するのを防止する。前記転写ロール（Ｔａ）が前記転写動作位置にある状態から前記着脱作業位置に移動する際には、抜け止め防止部材（３６ａ，３６ａ）の規制に反して移動する。前記抜け止め防止部材（３６ａ，３６ａ）を通過した前記転写ロール（Ｔａ）は、広い着脱作業位置において、転写ロール装着部（４９）に対する転写ロール（Ｔａ）の両端部を容易に着脱することができる。
（第３発明の作用）
前記構成要件（Ａ03″）を備えた第３発明の画像形成装置では、着脱作業位置では前記転写ロール装着部（４９）が前記カートリッジ装着用空間に移動しているので、広い着脱作業位置において、転写ロール装着部（４９）に対する転写ロール（Ｔａ）の両端部を容易に着脱することができる。
【００１１】
【発明の実施の形態】
（実施の形態１）
実施の形態１の画像形成装置は前記本発明において、次の構成要件（Ａ05），（Ａ06）を備えたことを特徴とする、
（Ａ05）前記画像形成装置本体（Ｕ１）の固定フレーム（３１）に設けられ、前記転写領域（Ｑｔ）の記録シート搬送方向上流側または下流側に配置されたロール装着部材支持軸（３４ａ，３４ａ）回りに回動可能に支持された前記転写ロール装着部材（Ｔ２）、
（Ａ06）前記ロール装着部材支持軸（３４ａ，３４ａ）にレバー中央部が回動可能に支持された一対の回動レバー（４６，４７）と、前記一対の回動レバー（４６，４７）の前記転写領域（Ｑｔ）側の自由端部どうしを連結する連結部材（４８）と、前記連結部材（４８）の両端部にそれぞれ設けられたＵ字状溝により形成された転写ロール装着部（４９）と、前記一対の回動レバー（４６，４７）の前記転写領域（Ｑｔ）と反対側の自由端部に設けられたレバー操作部とを有する前記転写ロール装着部材（Ｔ２）。
【００１２】
（実施の形態１の作用）
前記構成を備えた実施の形態１の画像形成装置では、前記画像形成装置本体（Ｕ１）の固定フレーム（３１）は、前記転写ロール装着部材（Ｔ２）の一対の回動レバー（４６，４７）のレバー中央部を、前記転写領域（Ｑｔ）の記録シート搬送方向上流側または下流側に設定されたロール装着部材支持軸回りに回動可能に支持する。前記転写ロール装着部材（Ｔ２）の連結部材（４８）は前記一対の回動レバー（４６，４７）の前記転写領域（Ｑｔ）側の自由端部どうしを連結する。
前記一対の回動レバー（４６，４７）の前記転写領域（Ｑｔ）と反対側の自由端部に設けられたレバー操作部を操作して前記転写ロール装着部材（Ｔ２）を前記ロール装着部材支持軸回りに回動させると、前記連結部材（４８）の両端部にそれぞれ設けられたＵ字状溝により形成された転写ロール装着部（４９）を前記カートリッジ装着用空間（Ｖ）に容易に移動させることができる。
【００１３】
このとき、前記ロール装着部材支持軸が転写領域（Ｑｔ）下流側に配置されている場合は、転写ロール装着部材（Ｔ２）およびそれに装着された転写ロール（Ｔａ）を、転写領域（Ｑｔ）に対して下流側に移動させながら前記カートリッジ装着用空間（Ｖ）に移動させることができる。
したがって、転写領域（Ｑｔ）のシート搬送方向上流側に配置された転写前シートガイド（ＳＧ１）が転写ロール上面部分の上流側部分に接近して配置されていても、転写ロール（Ｔａ）が上方且つシート搬送方向下流側に移動するので、転写前シートガイド（ＳＧ１）と干渉せずに移動させることができる。
また、前記ロール装着部材支持軸が転写領域（Ｑｔ）上流側に配置されている場合は、転写ロール装着部材（Ｔ２）およびそれに装着された転写ロール（Ｔａ）を、転写領域（Ｑｔ）に対して上流側に移動させながら前記カートリッジ装着用空間（Ｖ）に移動させることができる。
【００１４】
（実施の形態２）
本発明の実施の形態２の画像形成装置は、前記本発明または実施の形態１において次の構成要件（Ａ08）を備えたことを特徴とする、
（Ａ08）カートリッジ装着用空間（Ｖ）と反対側に移動させたときに前記転写ロール装着部材（Ｔ２）を前記着脱作業位置に移動させるとともに、カートリッジ装着用空間（Ｖ）の側に移動させたときに前記転写ロール装着部材（Ｔ２）を前記転写動作位置に移動させる前記操作部材（４６ｂ，４７ｂ）。
【００１５】
（実施の形態２の作用）
前記構成を備えた本発明の実施の形態２の画像形成装置では、前記操作部材（４６ｂ，４７ｂ）をカートリッジ装着用空間（Ｖ）と反対側に移動させたときに前記転写ロール装着部材（Ｔ２）を前記着脱作業位置に移動させることができる。また、カートリッジ装着用空間（Ｖ）の側に移動させたときに前記転写ロール装着部材（Ｔ２）を前記転写動作位置に移動させることができる。したがって、転写ロール（Ｔａ）を着脱作業位置と転写動作位置との間で容易に移動させることができる。
【００１６】
（実施の形態３）
本発明の画像形成装置の実施の形態３は前記本発明または実施の形態１もしくは２のいずれかにおいて、次の構成要件（Ａ09）を備えたことを特徴とする、
（Ａ09）前記着脱作業位置では斜め上方に開口する前記Ｕ字状の転写ロール軸装着溝を有し、前記転写ロール（Ｔａ）の着脱方向が前記斜め上方に設定された前記転写ロール装着部材（Ｔ２）。
【００１７】
（実施の形態３の作用）
前記構成を備えた本発明の画像形成装置の実施の形態３では、前記転写ロール装着部材（Ｔ２）に対する前記転写ロール（Ｔａ）の着脱方向が前記斜め上方に設定されているので、着脱作業を容易に行うことができる。
【００１８】
（実施の形態４）
本発明の画像形成装置の実施の形態４は前記実施の形態３において、次の構成要件（Ａ010）を備えたことを特徴とする、
（Ａ010）前記転写ロール（Ｔａ）の着脱方向が前記像担持体（ＰＲ）の画像形成装置本体（Ｕ１）への着脱方向と同じ方向に設定された前記転写ロール装着部材（Ｔ２）。
【００１９】
（実施の形態４の作用）
前記構成を備えた本発明の画像形成装置の実施の形態４では、前記転写ロール装着部材（Ｔ２）に対する転写ロール（Ｔａ）の着脱を、前記像担持体（ＰＲ）の画像形成装置本体（Ｕ１）への着脱方向と同じ方向から行うことができる。
【００２０】
（実施の形態５）
本発明の画像形成装置の実施の形態５は前記実施の形態１において、次の構成要件（Ａ011），（Ａ012）を備えたことを特徴とする、
（Ａ011）前記転写領域（Ｑｔ）の記録シート搬送方向上流側に配置されてロール装着部材支持軸に遊びを持って回転可能に支持された前記転写ロール装着部材（Ｔ２）、
（Ａ012）前記転写ロール装着部材（Ｔ２）が前記転写動作位置に回動するときに前記転写ロール装着部材（Ｔ２）に装着された転写ロール（Ｔａ）の転写ロール軸（４１）をガイドするためのガイド溝（３４ｂ）。
【００２１】
（実施の形態５の作用）
前記構成を備えた本発明の画像形成装置の実施の形態５では、転写動作位置に移動する転写ロール（Ｔａ）の移動する軌跡がガイド溝（３４ｂ）によりガイドされるので、転写ロール（Ｔａ）を像担持体（ＰＲ）に対して適切な方向から押圧することが可能となる。
【００２２】
（実施の形態６）
本発明の画像形成装置の実施の形態６は前記実施の形態１において、次の構成要件（Ａ013）を備えたことを特徴とする、
（Ａ013）前記転写ロール軸（４１）に装着された円筒状低摩擦部材であって、その外周面が前記転写ロール装着部材（Ｔ２）の転写ロール装着部（４９）により支持される円筒状低摩擦部材（４３）。
【００２３】
（実施の形態６の作用）
前記構成を備えた本発明の画像形成装置の実施の形態６では、転写ロール（Ｔａ）のロール軸（４１）に装着された円筒状低摩擦部材（４３）が転写ロール装着部（４９）に支持されるため、転写ロール（Ｔａ）回転時の摩擦抵抗力が低くなる。
【００２４】
（実施の形態７）
本発明の画像形成装置の実施の形態７は前記本発明または実施の形態１ないし８のいずれかにおいて、次の構成要件（Ａ014）を備えたことを特徴とする、
（Ａ014）前記転写動作位置に移動した前記転写ロール装着部材（Ｔ２）を常時上方に付勢する弾性部材（３８）。
【００２５】
（実施の形態７の作用）
前記構成を備えた本発明の画像形成装置の実施の形態７では、弾性部材（３８）により転写ロール（Ｔａ）は像担持体（ＰＲ）に適正な圧接押圧力で押圧することができる。
【００２６】
（実施の形態８）
本発明の画像形成装置の実施の形態８は前記実施の形態５において、次の構成要件（Ａ015）を備えたことを特徴とする、
（Ａ015）前記転写ロール軸（４１）が着脱可能に装着され且つ前記ガイド溝（３４ｂ）に沿って移動可能なロール軸保持用のスライダ（３７）。
【００２７】
（実施の形態８の作用）
前記構成を備えた本発明の画像形成装置の実施の形態８では、ロール軸保持用のスライダ（３７）により保持された転写ロール軸（４１）は前記ガイド溝（３４ｂ）により適切な方向から像担持体（ＰＲ）に圧接される。
【００２８】
（実施の形態９）
本発明の画像形成装置の実施の形態９は、前記実施の形態８において、次の構成要件（Ａ016）を備えたことを特徴とする、
（Ａ016）前記転写動作位置に移動した前記転写ロール装着部材（Ｔ２）を常時上方に付勢するように前記ロール軸保持用のスライダ（３７）に作用する弾性部材（３８）。
【００２９】
（実施の形態９の作用）
前記構成を備えた本発明の画像形成装置の実施の形態９では、弾性部材（３８）は、スライダ（３７）を介して、転写ロール（Ｔａ）を像担持体（ＰＲ）に圧接させる。
【００３０】
（実施の形態１０）
本発明の画像形成装置の実施の形態１０は、前記実施の形態７または１１において、次の構成要件（Ａ017）を備えたことを特徴とする、
（Ａ017）前記転写ロール軸（４１）に電気的に接続された前記スプリング。
【００３１】
（実施の形態１０の作用）
前記構成を備えた本発明の画像形成装置の実施の形態１０では、前記スプリングは前記転写ロール軸（４１）に電気的に接続されている。したがって、スプリングを給電用の導電部材として使用できるので、部品点数の増加を防止することができる。
【００３２】
（実施例）
次に図面を参照しながら、本発明の画像形成装置の実施の形態の具体例（実施例）を説明するが、本発明は以下の実施例に限定されるものではない。
なお、以後の説明の理解を容易にするために、図面において、前後方向をＸ軸方向、右左方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００３３】
（実施例１）
図１は本発明の電子写真方式を採用した画像形成装置としてのプリンタの実施例１の全体説明図である。図２は同実施例１のプリンタ本体を示す図である。図３は同実施例１のプリンタ本体に着脱自在に装着されるプロセスカートリッジの説明図である。図４は前記図３の矢印IＶから見た図である。
図１において、本発明の実施例１のプリンタ（画像形成装置）Ｕは、プリンタ本体（画像形成装置本体）Ｕ１とこのプリンタ本体Ｕ１に着脱自在に装着されるカートリッジＵ２とを有している。
【００３４】
（プリンタ本体Ｕ１）
プリンタ本体Ｕ１は、外部のコンピュータＡから送信された画像データを受信して一時的に記憶するローカルメモリを有し且つ記憶した受信画像データに応じたレーザ駆動データを出力する画像処理部Ｂと、前記画像処理部Ｂの出力するレーザ駆動データが入力されるレーザ駆動回路Ｄと、前記画像処理部Ｂおよびレーザ駆動回路Ｄの作動を制御するコントローラＣとを有している。
レーザ駆動回路Ｄは、入力されたレーザ駆動データに応じたレーザ駆動信号をＲＯＳ（潜像形成装置）に出力する。
前記ＲＯＳは、後述するカートリッジＵ２の像担持体ＰＲ表面に静電潜像を書き込む装置であり、前記レーザ駆動信号により変調されたレーザビーム（光ビーム）Ｌを出射するレーザダイオードＬＤと、回転多面鏡（ポリゴンミラー）ＰＭを有する走査光学系を備えている。
【００３５】
プリンタ本体Ｕ１は、下部に給紙トレイＴＲを有している。給紙トレイＴＲの右側（−Ｙ側）上方には給紙トレイＴＲから記録シートを取り出すためのピックアップローラＲｐが配置されている。ピックアップローラＲｐの右方には一対のローラを有するさばきローラＲｓが設けられている。さばきローラＲｓは、ピックアップローラＲｐから取り出された記録シートを１枚づつ分離してシート搬送路ＳＨ１に搬送する機能を有している。
シート搬送路ＳＨ１には搬送ローラＲａ、レジローラＲｒが配置されている。前記シート搬送路ＳＨ１には前記搬送ローラＲａの上流側に手差し給紙路ＳＨ２が接続されている。
【００３６】
前記レジローラＲｒの左方には転写前シートガイドＳＧ１が配置され、その左方に転写ユニットＴが配置されている。転写ユニットＴは後述のカートリッジＵ２の像担持体ＰＲ上のトナー像を記録シートに転写するための部材で、転写後シートガイドＳＧ２を有する転写ユニット本体Ｔ１、前記転写ユニット本体Ｔ１に回動可能に支持された転写ロール装着部材Ｔ２、および転写ロール装着部材Ｔ２に支持された除電器ＤＴＣ等を有する部材である。転写ユニットＴの詳細は後述する。
前記転写ロール装着部材Ｔ２が着脱可能に装着される転写ロールＴａと前記像担持体ＰＲとの接触領域により転写領域Ｑｔが形成される。
前記転写ユニットＴの左方に配置された定着装置Ｆは加熱ロールＦｈおよび加圧ロールＦｐを有し、両ロールＦｈおよびＦｐの接触領域には定着領域Ｑｆが形成されている。加熱ロールＦｈにはハロゲンヒータが内蔵されており、定着領域Ｑｆを通過する記録シート上の未定着トナー像は加熱定着される。
【００３７】
定着装置Ｆの左方には記録シート排出路ＳＨ４および記録シート反転路ＳＨ５が設けられている。前記記録シート排出路ＳＨ４には搬送ローラＲａおよび排出ローラＲｂが設けられている。また、記録シート反転路ＳＨ５には搬送ローラＲａが設けられている。前記記録シート排出路ＳＨ４および記録シート反転路ＳＨ５の接続部には記録シートの搬送方向を切り替える切替ゲートＧＴが設けられている。
切替ゲートＧＴは通常は、定着装置Ｆから排出される記録シートを前記記録シート排出路ＳＨ４に搬送する位置（実線位置）に保持されている。そして、片面記録（片面プリント）を行う場合には、片面に記録が行われた記録シートは、前記記録シート排出路ＳＨ４の排出ローラＲｂから排出トレイＴＨに排出される。
【００３８】
記録シートに両面記録を行う場合には、前記切替ゲートＧＴは、片面記録された記録シートが一旦前記記録シート排出路ＳＨ４側に搬送された後、スイッチバックして前記記録シート反転路ＳＨ５に搬送されるように２点鎖線位置に切り替えられる。
スイッチバックして記録シート反転路ＳＨ５に搬送された記録シートは前記給紙トレイＴＲに反転した状態で収容されるようになっている。この反転した記録シートを給紙トレイＴＲから取り出して転写領域Ｑｔ（像担持体ＰＲおよび転写ロールＴａの接触領域）に搬送すると、最初に記録した面と反対側の面にトナー像が転写される。このようにして、両面に画像記録が行われた記録シートは前記排出ローラＲｂから排出トレイＴＨに排出される。
【００３９】
前記転写ユニットＴ、レジロールＲｒ等の上方にはカートリッジ装着空間Ｖが形成されている。また、前記カートリッジ装着空間Ｖの右側には、カートリッジ装着空間Ｖを開閉するための開閉ドアＫが軸Ｋａ周りに回動可能に支持されている。前記カートリッジＵ２は、プリンタ本体Ｕ１の右上方から挿入、取出が行われるようになっている。
【００４０】
（カートリッジＵ２）
図３、図４において、前記カートリッジＵ２は、前記像担持体ユニットＵ２１および現像ユニットＵ２２を有している。
前記像担持体ユニットＵ２１は、外壁を構成するケース１と、前記ケース１に支持された像担持体ＰＲと、帯電領域Ｑｃにおいて像担持体ＰＲ表面を一様に帯電させる帯電ロール２と、像担持体ＰＲ表面に付着したトナーを回収するクリーナ３とを有している。
像担持体ＰＲはアルミ製円筒基材の表面にＯＰＣ（有機像担持体）の表面層を形成して構成されている。ＯＰＣはマイナス帯電なので、帯電ロール２には交流電圧に直流バイアス電圧を重畳した電圧が印加されるように構成されている。前記帯電ロール２に印加される電圧は、カートリッジＵ２をプリンタ本体Ｕ１に装着したときに、プリンタ本体Ｕ１の電源回路（図示せず）から供給されるように構成されている。なお、プリンタ本体Ｕ１からカートリッジＵ２への給電を行う構成としては、従来公知の種々の構成を採用することができる。また、像担持体ＰＲのアルミ製円筒基材はアースされる。
【００４１】
また、本実施例１はイメージ露光を行うように構成されており、レーザビームＬは潜像形成位置Ｑｓにおいて像担持体ＰＲ上の画像部分（記録シート上でトナーが載る部分）を露光する。
クリーナ３は前記ケース１により形成さたトナー回収容器４およびクリーニングブレード５を有し、クリーニングブレード５先端は前記像担持体ＰＲに当接している。前記クリーニングブレード５は本実施例１では、高硬度のウレタンブレードが使用されている。そして、前記像担持体ＰＲ上の残留トナーは前記クリーニングブレード５により擦り取られて前記トナー回収容器４内に貯蔵されるように構成されている。
【００４２】
図３において、前記トナー回収容器４の下部にはヒンジ軸７回りに板バネ８の一端が回転自在に支持されている。板バネ８の他端にはヒンジ軸９を介して保護カバー１０が連結されている。
前記保護カバー１０は前記板バネ８が前記ヒンジ軸７回りに回転したとき図３の二点鎖線に示す閉塞位置と実線で示す開放位置との間で移動可能である。そして、前記保護カバー１０は、前記カートリッジＵ２が前記プリンタ本体Ｕ１に装着される以前は図２の二点鎖線で示す閉塞位置に保持されて前記像担持体ＰＲ下方を被覆し、装着する時に実線で示す開放位置に移動させるように構成されている。
前記符号１〜１０で示された要素により像担持体ユニットＵ２１が構成されている。
【００４３】
前記現像ユニットＵ２２は、一成分磁性トナーを収容するホッパ（現像容器）１１、このホッパ１１に回転可能に支持されたアジテータ（トナー攪拌部材）１２を有している。前記ホッパ１１の外側面に一体的に構成された現像ロール収容部１３には、現像ロールＲ０が支持されている。
現像ロールＲ０は回転可能なアルミパイプにより構成されたスリーブ（すなわち、現像剤担持体）Ｒ０ａおよびその内部において固定支持された磁石ロールＲ０ｂから構成されている。スリーブＲ０ａ内部の磁石ロールＲ０ｂは、前記像担持体ＰＲに対向した位置にある現像極Ｎと、前記スリーブＲ０ａ上の現像剤の層厚を規制する層厚規制部材１４に隣接する上流側部分に存在する層形成極Ｎと、それらの間にトナーを確実にスリーブＲ０ａ上に吸引保持するための２つの搬送磁極Ｓ，Ｓを有している。
【００４４】
前記カートリッジＵ２が前記プリンタ本体Ｕ１に装着された際には、電源回路（図示せず）から前記現像ロールＲ０のスリーブＲ０ａに、交流電圧にマイナス直流バイアス電圧を重畳した電圧が印加されるように構成されている。前述したように、像担持体ＰＲのアルミ製円筒基材がアースされるので、像担持体ＰＲとスリーブＲ０ａとが対向する現像領域Ｑｇには、交流電圧にマイナス直流バイアス電圧を重畳した電圧が印加される。前記印加電圧により、スリーブＲ０ａ上のマイナスに帯電したトナーは像担持体ＰＲ上の静電潜像側に移動して、静電潜像はトナー像に現像される。
【００４５】
前記ホッパ１１の底面において前記現像ロール収容部１３との間に設けられた仕切壁１６の上方には開口１７が形成されている。そして、前記仕切壁１６の上端面の位置は、ホッパ１１から前記開口１７を通って現像ロールＲ０側へのトナーの移動が容易に行われるように適当な高さ（スリーブＲ０ａおよび層厚規制部材１４の当接部の高さより低い高さ）に設定されている。
前記符号１１〜１７，Ｒ０で示された要素から現像ユニットＵ２２が構成されている。
【００４６】
図３、図４において、前記像担持体ユニットＵ２１および現像ユニットＵ２２は、前後方向両端（Ｘ軸方向両端）において軸２０回りに相対的に回転可能に連結されている。前記相対的に回転可能な像担持体ユニットＵ２１および現像ユニットＵ２２は、圧縮バネ２１により前記軸２０（図３、図４参照）の回りに開く方向の力を受けている。そしてその力により現像ロールＲ０は像担持体ＰＲに押圧されている。なお、現像ロールＲ０のスリーブＲ０ａおよび像担持体ＰＲは、それらの軸方向の外端部分、すなわち、現像領域の軸方向（Ｘ軸方向）外側部分が当接しており、スリーブＲ０ａおよび像担持体ＰＲ間の現像領域Ｑｇは適当な間隙に保持されている。
前記像担持体ＰＲ表面に沿って前記現像領域Ｑｇの下流側には、像担持体ＰＲと転写ロールＴａとが接触する転写領域Ｑｔが形成される。
前記像担持体ユニットＵ２１および現像ユニットＵ２２の間には、像担持体ＰＲへの潜像書込用のレーザビームＬが入射するためのビーム入射用開口２２が形成されている。
前記符号２０〜２２で示された要素、像担持体ユニットＵ２１および現像ユニットＵ２２により前記カートリッジＵ２が構成されている。
【００４７】
（転写ユニットＴ）
図５は転写ユニットの全体正面図である。図６は転写ユニットの全体斜視図である。
【００４８】
図５において、転写ユニットＴの転写ユニット本体Ｔ１は、画像形成装置本体のフレーム３１に転写ユニット固定部材３２を介してネジ３３等により固定されている。
図５、図６において、転写ユニット本体Ｔ１は転写後シートガイドＳＧ２とその前後方向（Ｘ軸方向）両端部に一体的に設けた一対の側壁３４，３４およびそれらの下端を接続する下壁３５（図６参照）等を有している。前記側壁３４，３４の内側面には、内方に突出するヒンジピン３４ａ，３４ａが設けられている。
前記一対のヒンジピン３４ａ，３４ａは、水平軸上に配置されており、前記転写ロール装着部材Ｔ２を支持する軸（ロール装着部材支持軸）である。すなわち、この実施例では一対のヒンジピン３４ａ，３４ａによりロール装着部材支持軸（３４ａ，３４ａ）が構成されている。
また、図５に示すように、側壁３４，３４（一方のみ図示）にはガイド溝３４ｂ，３４ｂが形成されている。図５、図６に示すように、前記各側壁３４の内側にわずかな間隔（Ｘ軸方向の間隔）を置いて左右一対のスライダカイド形成部材３６，３６（１個のみ図示）が形成されている。スライダガイド形成部材３６，３６おり、前記スライダガイド形成部材３６，３６は前記側壁３４のガイド溝３４ｂにほぼ対向する位置に配置されている。そして、前記ガイド溝３４周辺の側壁３４とスライダカイド形成部３６の間にはスライダ３７を上下にガイドするスライダガイド溝（Ｘ軸方向に間隔を有する溝）が形成されている。
【００４９】
図５において左右一対のスライダガイド形成部材３６，３６の上端にはロール軸抜け止め防止部３６ａ，３６ａが形成されている。ロール軸抜け止め防止部３６ａ，３６ａはスライダガイド形成部材３６，３６の弾性変形により左右に変位可能である。ロール軸抜け止め防止部３６ａ，３６ａは通常後述のロール軸の軸径よりも狭い間隔で配置されている。しかし、転写ロールの交換を行う作業者が強い力でロール軸を押し込んだり引張出したりすると前記ロール軸抜け止め防止部３６ａ，３６ａの間隔が開いてロール軸の通過が可能となる。
【００５０】
図５においてスライダ３７は上端に軸受凹部３７ａを有しており、前記側壁３４とスライダカイド形成部３６の間に形成される前記スライダガイド溝（Ｘ軸方向に間隔を有する溝）により、Ｘ軸方向の移動が不能であるが上下方向に移動可能に支持されている。また、スライダ３７は前記側壁３４のガイド溝３４ｂによりＹ軸方向の位置が規制された状態で上下方向にスライド可能である。
前記スライダ３７は圧縮バネ（弾性部材）３８により常時上方に付勢されているが、前記スライダガイド形成部材３６（図６参照）上端に設けた一対の抜け止め部材３６ａ，３６ａ（図５参照）により、ガイド溝３４ｂからの抜け止めが防止されている。
【００５１】
図７は転写ユニットの転写ロール支持部材と転写ロールの分解斜視図である。図８は前記図７の転写ロール支持部材に転写ロールを装着した状態の右側面図で、図７の矢印ＶIIIから見た図である。図９は前記転写ロール支持部材および転写ロールの説明図で、図９Ａは前記図８のIＸＡ−IＸＡ線断面図、図９Ｂは前記図８のIＸＢ−IＸＢ線断面図である。図１０は前記図６は前記矢印Ｘから見た図である。
図７において、前記転写ロールＴａは、ロール軸４１に装着されたゴムロール４２とロール軸４１に固定され且つゴムロール４２の両端にそれぞれ固定された一対の円筒状低摩擦部材４３と、ロール軸４１の両端部にそれぞれ回転可能に装着され且つ軸方向にわずかな距離だけ移動可能なロール軸抜け止め部材４４，４４とを有している。また、ロール軸４１の後端にはギヤ４５が装着されている。
【００５２】
図７において、転写ロール装着部材Ｔ２は前後一対のレバー４６，４７とそれらの右端部（Ｙ端部、すなわち、シート搬送方向上流端部）を連結する連結部材４８により構成されている。前記レバー４６，４７の中央部（レバー中央部）には、ピン嵌合孔４６ａ，４７ａが形成されている。ピン嵌合孔４６ａ，４７ａは長孔であり、前記ヒンジピン３４ａ，３４ａに回転可能且つスライド可能に嵌合するピンである。前記レバー４６，４７の下流端部にはそれぞれ作業者が指でつまんで操作するための操作部材４６ｂ，４７ｂが設けられている。
図８、図９において連結部材４８の下面には一対のバネ係止突起４８ａ，４８ａが設けられており、連結部材４８の上流側に面した端面には除電針（デタックソー）ＤＴＣが装着されている。
前記連結部材４８の前後方向の（Ｘ軸方向）両端部には、シート搬送方向上流側に向かって開口するＵ字状溝により形成された一対の転写ロール装着部４９，４９が設けられている。
【００５３】
図１１は前記図１０のＸＩ−ＸＩ線断面図で、図１１Ａは転写ロール装着部材が転写動作位置に保持された状態を示す図、図１１Ｂは転写ロール装着部材が着脱作業位置に保持された状態を示す図である。
図１２は前記図１０のＸII−ＸII線断面図で、図１２Ａは転写ロール装着部材が転写動作位置に保持された状態で像担持体を有するカートリッジがカートリッジ装着空間に装着された状態を示す図、図１２Ｂは前記図１２Ａの状態からカートリッジが取り出された状態を示す図である。
【００５４】
図１１〜図１２において前記バネ係止突起４８ａ，４８ａと下壁３５に支持されたバネ支持部材５１との間に、圧縮バネ５２が配置されている。前記圧縮バネ５２により前記転写ロール装着部材Ｔ２はヒンジピン３４ａ，３４ａ回りに反時計方向の回転力を受けている。
【００５５】
（実施例の作用）
図１３は転写ロール装着部材から転写ロールを離脱させる方法の説明図で、図１３Ａは転写ロールが転写動作位置に保持され且つカートリッジの像担持体が転写ロールに圧接している状態を示す図、図１３Ｂは前記図１３Ａの状態からカートリッジを取り出した状態を示す図、図１３Ｃは転写ロール装着部材が着脱作業位置に移動して転写ロールがカートリッジ装着空間に移動した状態を示す図、図１３Ｄは転写ロール装着部材から転写ロールを離脱させた状態を示す図である。
図１３において、画像形成装置の動作時には、転写ロール装着部材Ｔ２に装着された転写ロールＴａは、図１３Ａの位置に保持されており、その上面は像担持体ＰＲにより下方に押圧されている。このとき、圧縮バネ３８によりスライダ３７が上方に押圧されている。
【００５６】
図１３Ｂにおいて、カートリッジ装着空間Ｖから像担持体ＰＲを有するカートリッジＵ２を取り出すと、前記圧縮バネ３８が伸長してスライダ３７は上方に移動する。このとき、スライダ３７の軸受け凹部３７ａに支持されたロール軸４１も上昇とするが前記ロール軸抜け止め防止部３６ａ，３６ａにより係止されて上方への移動が規制されている。
図１３ＢＣにおいて、作業者が、レバー４６，４７（４６のみ図示）の操作部材４６ｂ，４７ｂ（４６ｂのみ図示）を矢印方向（下方）に押すと、転写ロール装着部材Ｔ２の転写ロール装着部４９，４９（１個のみ図示）に装着された転写ロールＴａのロール軸４１は、前記ロール軸抜け止め防止部３６ａ，３６ａを押し広げて上方のカートリッジ装着空間Ｖに移動する。
【００５７】
この場合、前記水平軸上の一対のヒンジピン３４ａ，３４ａが転写領域Ｑｔ下流側に配置されているため、転写ロール装着部材Ｔ２およびそれに装着された転写ロールＴａは、転写領域Ｑｔに対して上方且つ下流側に移動して前記カートリッジ装着用空間に移動する。
したがって、転写領域のシート搬送方向上流側に配置された転写前シートガイドＳＧ１が転写ロール上面部分の上流側部分に接近して配置されていても、転写ロールＴａが上方且つシート搬送方向下流側は移動するので、転写前シートガイドＳＧ１と干渉せずに移動することができる。
また、除電針ＤＴＣが転写ロール装着部材Ｔ２に装着されているため、前記転写ロールＴａの上方への移動時に一緒に移動する。このため、前記転写前シートガイドＳＧ１と除電針ＤＴＣとの間隔が、転写ロール軸４１の直径よりも狭くても、転写ロールＴａを、転写動作位置と着脱作業位置との間で移動させることができる。
【００５８】
図１３Ｄにおいて、前記カートリッジＵ２２が取り出された後の広いカートリッジ装着空間Ｖに移動した転写ロール装着部４９，４９（１個のみ図示）に装着された転写ロールＴａの着脱作業は容易に行うことができる。
【００５９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記転写ロールの軸の両端部を支持するＵ字状溝により形成された転写ロール軸装着部を有する転写ロール装着部材は、水平軸回りに回動可能な一対のレバーを用いて構成する代わりに、前記Ｕ字状溝により形成された転写ロール軸装着部を有し上下方向にスライド可能な一対のスライダを用いて構成することが可能である。、
（Ｈ02）前記レバーの回動軸は、転写領域Ｑｔのシート搬送方向下流側に配置する代わりに、上流側に配置することが可能である。その場合、転写ロールおよび転写前シートガイドを同時に、カートリッジ装着空間Ｖに移動させるように構成する。
【００６０】
【発明の効果】
前述の本発明の画像形成装置は、次の効果を奏する。
（Ｅ01）転写ロールの着脱作業はカートリッジ装着空間で容易に行うことができる。
（Ｅ02）前記転写前シートガイドと除電針との間隔が、転写ロール軸の直径よりも狭くても、転写ロールを、転写動作位置と着脱作業位置との間で移動させることが可能となるで、画像形成時の転写ロール、前記転写ロールの上流側に配置された転写前シートガイド、および除電針を適切な位置関係に配置にすることが可能となる。
【図面の簡単な説明】
【図１】図１は本発明の電子写真方式を採用した画像形成装置としてのプリンタの実施例１の全体説明図である。
【図２】図２は同実施例１のプリンタ本体を示す図である。
【図３】図３は同実施例１のプリンタ本体に着脱自在に装着されるプロセスカートリッジの説明図である。
【図４】図４は前記図３の矢印IＶから見た図である。
【図５】図５は転写ユニットの全体正面図である。
【図６】図６は転写ユニットの全体斜視図である。
【図７】図７は転写ユニットの転写ロール支持部材と転写ロールの分解斜視図である。
【図８】図８は前記図７の転写ロール支持部材に転写ロールを装着した状態の右側面図で、図７の矢印ＶIIIから見た図である。
【図９】図９は前記転写ロール支持部材および転写ロールの説明図で、図９Ａは前記図８のIＸＡ−IＸＡ線断面図、図９Ｂは前記図８のIＸＢ−IＸＢ線断面図である。
【図１０】図１０は前記図６は前記矢印Ｘから見た図である。
【図１１】図１１は前記図１０のＸＩ−ＸＩ線断面図で、図１１Ａは転写ロール装着部材が転写動作位置に保持された状態を示す図、図１１Ｂは転写ロール装着部材が着脱作業位置に保持された状態を示す図である。
【図１２】図１２は前記図１０のＸII−ＸII線断面図で、図１２Ａは転写ロール装着部材が転写動作位置に保持された状態で像担持体を有するカートリッジがカートリッジ装着空間に装着された状態を示す図、図１２Ｂは前記図１２Ａの状態からカートリッジが取り出された状態を示す図である。
【図１３】図１３は転写ロール装着部材から転写ロールを離脱させる方法の説明図で、図１３Ａは転写ロールが転写動作位置に保持され且つカートリッジの像担持体が転写ロールに圧接している状態を示す図、図１３Ｂは前記図１３Ａの状態からカートリッジを取り出した状態を示す図、図１３Ｃは転写ロール装着部材が着脱作業位置に移動して転写ロールがカートリッジ装着空間に移動した状態を示す図、図１３Ｄは転写ロール装着部材から転写ロールを離脱させた状態を示す図である。
【符号の説明】
ＤＴＣ…除電針、ＰＲ…像担持体、Ｑｔ…転写領域、ＳＧ１…転写前シートガイド、Ｔ２…転写ロール装着部材、Ｔａ…転写ロール、Ｕ１…画像形成装置本体、Ｕ２…カートリッジ、
３１…固定フレーム、４０…連結部材、４１…転写ロール軸、４３…円筒状低摩擦部材、４６，４７…回動レバー、４６ｂ，４７ｂ…操作部材。
【図１】
0003578012.tif 000002
【図２】
0003578012.tif 000003
【図３】
0003578012.tif 000004
【図４】
0003578012.tif 000005
【図５】
0003578012.tif 000006
【図６】
0003578012.tif 000007
【図７】
0003578012.tif 000008
【図８】
0003578012.tif 000009
【図９】
0003578012.tif 000010
【図１０】
0003578012.tif 000011
【図１１】
0003578012.tif 000012
【図１２】
0003578012.tif 000013
【図１３】
0003578012.tif 000014